(57)【要約】【課題】  従来のロック機構を用いるとロック機構のスペースが撮像装置の全幅をさらに大きくしてしまい、使用者の携行利便性を著しく損なう。【解決手段】  回動カバーを閉めた位置におけるロック部材の前側爪部及び本体側の前側係合部は、撮像レンズの側面で、且つテープデッキの前側に配置されている。さらに、ロック部材の後側爪部及び本体側の後側係合部は、撮像レンズの後面で、且つテープデッキの側面側に配置されている。【選択図】  図３
2007166085.tif 000002
【特許請求の範囲】
【請求項１】
レンズ部と、
映像信号を記録・再生する記録再生部と、
前記記録再生部を覆い、撮像装置本体と係合する複数の爪部を有する開閉カバーと、
を有する撮像装置であって、
前記レンズ部の光軸と前記記録再生部の長手方向が略平行になるように前記レンズ部の側面に隣接して配置され、
前記爪部の少なくとも一方は、前記レンズ部の側面側で前記記録再生部の前面側に配置され、前記爪部の他方は、前記記録再生部のレンズ部と隣接する側面側で前記レンズ部の後面側に配置されていることを特徴とする撮像装置。
【発明の詳細な説明】
【技術分野】
【０００１】
本発明は、撮像レンズと、テープやメモリーに撮像情報を記録する情報記録部、及び情報記録部を覆う開閉カバーを持った撮像装置に関する。
【背景技術】
【０００２】
デジタルビデオカメラ等の撮像装置は、カセットテープやメモリーカードを出し入れする開口部を、一端が蝶着された回動カバーで覆うことのできる構成が採用されている。
【０００３】
一般に回動カバーは、使用中不用意に開くのを防止するためにロック機構が設けられている。このロック機構は、回動カバー上に可動の爪部材が配され、この爪部材が筐体本体に設けられた係合部に係合する構成となっている。（特許文献１参照）そして、爪部材上に設けられた別体もしくは一体のつまみ部を使用者が操作することで、ロックを解除し、回動カバーを開けてカセットテープ等を取り出していた。また、このような爪部は開口部の長手方向に対してできるだけ長い間隔を取って複数配置することで、回動カバーのガタツキやこじりによる隙間を少なくすることができる。
【０００４】
しかし、筐体の小型化が進むにつれて、前記爪部及び前記係合部のスペースが無くなって来ている。特にパラレルレイアウトデザインのデジタルビデオカメラでは、筐体の大きさを最小にするために、撮像レンズとテープデッキの間にスペースを設けられなくなってきている。
【０００５】
デジタルビデオカメラにおいては撮像レンズとテープデッキの大きさが、製品全体の大きさに対して支配的である。したがって、撮像レンズに対してテープデッキをどの面に配置するかが、製品全体のデザイン的特長に直結している。
【０００６】
現在、デジタルビデオカメラの撮像レンズとテープデッキの配置方法で主に３つのレイアウトが採用されている。撮像レンズの側面にテープデッキを配置したパラレルレイアウト、撮像レンズの下面にテープデッキを配置したレイアウト、撮像レンズの後面にテープデッキを配置したレイアウトである。
【０００７】
昨今、主に適用されるパラレルレイアウトデザインについて詳述すると、撮像レンズの側面側にテープデッキを配置し、撮像レンズの光軸とテープデッキの長手方向が略平行になるように配置されたデザインのことである。パラレルレイアウトデザインは、撮像レンズの下面にテープデッキを配置したレイアウトに比べて、製品の高さを抑えられるという特徴をもつ。また、撮像レンズの後側にテープデッキを配置したレイアウトよりも製品の全長を抑えることができると言う特徴を持つ。しかし、前述２つのレイアウトに比べてパラレルレイアウトデザインは製品の全幅が大きくなってしまうという欠点がある。
【特許文献１】特開平１１−１２０７５５号公報
【発明の開示】
【発明が解決しようとする課題】
【０００８】
図１にパラレルレイアウトデザインのビデオカメラにおける従来用いられてきたロック機構を示す。
【０００９】
図１の１０１は撮像レンズ、１０２は撮像した情報を記録するテープデッキ、１０６は電子ビューファインダーである。図１に示すロック部材１０３はテープデッキ１０２を覆うカバー上に設置されていて、このロック部材１０３のロックを解除して前記カバーとともにロック部材１０３を移動することで、テープデッキ１０２からテープを取り出すことが可能となる。テープデッキ１０２から図１の紙面表側に対してテープを取り出すようになっているレイアウトの場合、テープデッキの投影上にはロック機構の係合部が配置できない。従って、従来のパラレルレイアウトデザインビデオカメラは撮像レンズ１０１とテープデッキ１０２の間にロック部材１０３の爪部１０４及び本体側の係合部１０５が存在する。そのため、デジタルビデオカメラの全幅１０７は、ロック機構に必要なスペース１０８だけ大きくなってしまう。製品の全幅が他のレイアウトに比べて大きくなってしまうパラレルレイアウトデザインのビデオカメラにおいて、従来のロック機構を用いるとロック機構のスペースが全幅をさらに大きくしてしまうことは、使用者の携行利便性を著しく損なう。
【００１０】
また、テープデッキ後面側スペース１１０をロック機構に使用すると、製品におけるテープデッキ後側部が大きくなり、全長１１１が大きくなってしまう。全長１１１が大きくなってしまうことは、全幅１０７ほどの影響は無いが、やはり使用者の携行利便性を損なう恐れがある。
【００１１】
上記のような問題を鑑みて、本発明の目的は、撮像装置の幅を薄く抑えるために、撮像レンズと情報記録部の距離を最小限にした上で、さらに回動カバーのロックを安定的に行なうことである。
【課題を解決するための手段】
【００１２】
上記の課題を解決するために、本発明における撮像装置は、レンズ部と、映像信号を記録・再生する記録再生部と、前記記録再生部を覆い、撮像装置本体と係合する複数の爪部を有する開閉カバーとを有し、前記レンズ部の光軸と前記記録再生部の長手方向が略平行になるように前記レンズ部の側面に隣接して配置され、前記爪部の少なくとも一方は、前記レンズ部の側面側で前記記録再生部の前面側に配置され、前記爪部の他方は、前記記録再生部のレンズ部と隣接する側面側で前記レンズ部の後面側に配置されていることを特徴とする。
【発明の効果】
【００１３】
以上説明したように、本発明における撮像装置は、撮像装置の幅を薄く抑えるために、撮像レンズと情報記録部の距離を最小限にした上で、さらに回動カバーのロックを安定的に行なうことが可能である。
【発明を実施するための最良の形態】
【００１４】
以下、本発明を実施するための形態に関して説明する。
【実施例１】
【００１５】
図２は本実施例におけるデジタルビデオカメラ２０１の外観斜視図である。
【００１６】
デジタルビデオカメラ２０１は被写体像を撮像素子に結像させる撮像レンズ２０２と、撮像素子に結像した撮像情報をカセットテープ２０３に記録する情報記録部としてテープデッキ２０４を持ち、テープデッキ２０４直上には開口部が存在している。ここで、製品の正面側は撮像レンズ２０２の側とする。そして、回動アーム２０５に対し前記開口部を覆うための回動カバー２０６が取り付けられ、デジタルビデオカメラ２０１の本体と回動可能に配置されている。また、ロック機構のロックを解除するために、後述のロック部材３０８と一体的に形成されたつまみ形状２０７が回動カバー２０６に設けられた穴部から表出している。使用者は、前記つまみ形状２０７を操作してロックを解除した後、回動カバー２０６を回動させ、テープデッキ２０４を開口部から露出させ、テープ２０３を出し入れする。
【００１７】
図３は本実施例におけるデジタルビデオカメラ２０１のロック状態について示した上面視図を模式的に表した図である。
【００１８】
デジタルビデオカメラ２０１は前述したパラレルレイアウトデザインなので、撮像レンズ２０２の側面にテープデッキ２０４が配置されている。また、回動カバー２０６に、つまみ形状２０７と一体的に形成されたロック部材３０８がテープデッキ２０４の長手方向に摺動可能に配置されている。ロック部材３０８には、製品の正面側方向に付勢されるようにバネ部材３０９が取り付けられている。ロック部材３０８は、前側爪部３０１と後側爪部３０２を持ち、本体側は前側係合部３０３と後側係合部３０４を持っている。前側爪部３０１は前側係合部３０３と、後側爪部３０２は後側係合部３０４とそれぞれ係合する。本体側に形成された２つの係合部は製品本体の板金部材をヘミング（１８０度曲げ）することによって、ピンなどの別部材を用いることなく、ロック部材３０８と係合部の引っ掛かりや摩擦を解消することができる。図３に示す通り、回動カバー２０６を閉めてロックした状態におけるロック部材３０８の前側爪部３０１及び本体側の前側係合部３０３は、撮像レンズ２０２の側面で、且つテープデッキ２０４の前側に配置されている。さらに、ロック部材３０８の後側爪部３０２及び本体側の後側係合部３０４は、撮像レンズ２０２の後面で、且つテープデッキ２０４の側面側に配置されている。
【００１９】
図４はロック解除時の上面視図を模式的に表した図である。ロックを解除する際には、つまみ形状２０７を製品後側に操作することで、図４のように前後の爪部（３０１，３０２）が係合部（３０３，３０４）から外れる。したがって、ロック部材３０８が取り付けられた回動カバーは図上右方向に移動可能となるので、回動カバーの回動が可能となる。従って、従来のロック機構を用いたビデオカメラと比べて本発明のロック機構は、ロック解除の操作性に劣るということは無い。従って、従来のロック機構を用いたビデオカメラと比べて本発明のロック機構は、ロック解除の操作性に劣るということは無い。
【００２０】
前後各々の爪部及び係合部をこのように配置することによって、デジタルビデオカメラの全幅３０６対して、爪部及び係合部のスペースは影響を与えない。テープデッキの後側のスペースをロック機構に使用すると全長３０７及びテープデッキ部周辺のデザインに影響を与えてしまうが、本発明のロック機構は全長３０７及びテープデッキ部のデザインに影響を与えない。さらに、撮像レンズ２０２の後面に配置されることが一般的な電子ビューファインダー３０５は、撮像用レンズよりも一般的に幅が狭いので、図３のように後側爪部３０２及び後側係合部３０４と干渉しないレイアウトが可能である。また、前後係合部の距離を大きく取れるので、回動カバー２０６を閉状態にした時、ガタ付きが少ない。
【００２１】
したがって、本発明におけるデジタルビデオカメラ２０１は従来のロック機構を用いたデジタルビデオカメラに比べて、撮像レンズとテープデッキの距離を最小限にすることで製品の幅を薄く抑え、さらに回動カバー２０６のロックを安定的に行なうことができる。
【図面の簡単な説明】
【００２２】
【図１】従来のデジタルビデオカメラに用いられていたロック機構の模式図
【図２】デジタルビデオカメラ２０１の外観斜視図
【図３】デジタルビデオカメラ２０１の上面視模式図
【図４】ロック解除時の上面視模式図
【符号の説明】
【００２３】
１０１  撮像レンズ
１０２  テープデッキ
１０３  ロック部材
１０４  ロック部材の爪
１０５  本体側の係合部
１０６  デジタルビデオカメラ
１０７  デジタルビデオカメラの全幅
１０８  ロック機構に用いる距離
１０９  テープデッキ前側スペース
１１０  テープデッキ後側スペース
１１１  全長
２０１  デジタルビデオカメラ
２０２  撮像レンズ
２０３  テープ
２０４  テープデッキ
２０５  回動アーム
２０６  回動カバー
２０７  つまみ形状
３０１  前側爪部
３０２  後側爪部
３０３  前側係合部
３０４  後側係合部
３０５  電子ビューファインダー
３０６  デジタルビデオカメラの全幅
３０７  デジタルビデオカメラの全長
３０８  ロック部材
３０９  バネ部材
【図１】
2007166085.tif 000003
【図２】
2007166085.tif 000004
【図３】
2007166085.tif 000005
【図４】
2007166085.tif 000006